(57)【要約】      （修正有）【課題】遠赤外線等の微弱エネルギーの特性・作用を有し、地球環境保護、人体の健康増進に寄与する遠赤外線放射波動水の製造方法及び遠赤外線放射波動水を提供する。【解決手段】遠赤外線放射波動水の製造方法は、ミネラル含有液に光触媒の存在のもとに紫外線を照射して得られた転写可能な水溶液。【選択図】図１
2008161864.tif 000002
【特許請求の範囲】
【請求項１】
光触媒の存在のもと、原料液に、光触媒溶液を加え、紫外線を照射することを特徴とする遠赤外線等の微弱エネルギーの特性・作用を有し転写可能な遠赤外線放射波動水の製造法。
【請求項２】
上記原料液は、ミネラル含有液であることを特徴とする請求項１記載の遠赤外線放射波動水の製造法。
【請求項３】
上記ミネラル含有液は、風化珊瑚礁抽出液であることを特徴とする請求項１または２記載の遠赤外線放射波動水の製造方法。
【請求項４】
前記抽出液に珪素粉末を混入することを特徴とする請求項１ないし３記載のいずれか１項記載の遠赤外線放射波動水の製造方法。
【請求項５】
低周波の波長を照射しながら、前記抽出液と珪素粉末、並びに光触媒溶液を攪拌することを特徴とする請求項１ないし４記載のいずれか１項記載の遠赤外線放射波動水の製造方法。
【請求項６】
紫外線照射後に赤外線を照射することを特徴とする請求項１ないし５記載のいずれか１項記載の遠赤外線放射波動水の製造方法。
【請求項７】
前記光触媒は酸化チタンであることを特徴とする請求項１ないし６記載のいずれか１項記載の遠赤外線放射波動水の製造方法。
【請求項８】
前記光触媒はアナターゼ型酸化チタンであることを特徴とする請求項１ないし７記載のいずれか１項記載の遠赤外線放射波動水の製造方法。
【請求項９】
転写媒体となる材料と遠赤外線放射波動水と光触媒溶液とを混練焼成することにより転写部材を製造し、該転写部材を用いて前記転写を行うことを特徴とする請求項１ないし８記載のいずれか１項記載の遠赤外線放射波動水の製造方法。
【請求項１０】
水に転写部材を浸漬させることにより、該水に遠赤外線放射波動水の機能を転写することを特徴とする請求項１ないし９記載のいずれか１項記載の遠赤外線放射波動水の製造方法。
【請求項１１】
請求項１ないし１０記載のいずれか１項記載の製造方法により製造されたことを特徴とする遠赤外線放射波動水の製造方法。
【請求項１２】
遠赤外線放射波動水は、クラスターが細分化され、活性化された状態であることを特徴とする遠赤外線放射波動水。
【請求項１３】
請求項１１記載の遠赤外線放射波動水と酸化チタンを混合することを特徴とする請求項１ないし１０記載のいずれか１項記載の三次機能水の製造方法。
【請求項１４】
前記三次機能水は、建材コーティング用であることを特徴とする請求項１ないし１１いずれか１項記載の三次機能水。
【請求項１５】
前記三次機能水は、排気ガス低減及び燃費、パワー、トルク向上用であることを特徴とする請求項１ないし１１いずれか１項記載の三次機能水。
【請求項１６】
燃料タンク及び概燃焼室で発生した排ガスを外部へ排気する為の排気部を含む燃焼機構のいずれかの部分に三次機能水を塗布することを特徴とする三次機能水。
【請求項１７】
前記三次機能水は、紫外線遮断用であることを特徴とする請求項１ないし１１いずれか１項記載の三次機能水。
【請求項１８】
前記三次機能水は静電気防止用であることを特徴とする請求項１ないし１１のいずれか１項記載の三次機能水。
【発明の詳細な説明】
【技術分野】
【０００１】
本発明は、遠赤外線放射波動水とその製造方法に関するものである。
【背景技術】
【０００２】
波動水に関する技術として、木質燃料を燃焼させて発生する燃焼ガス中に水を置いて、その木質燃焼が有する波動エネルギーを転写、記憶させる旨の方法が示されている。
【０００３】
しかし、木質燃料を燃焼させた燃焼ガスの成分には、酢酸が大量に含まれ、木酢の状態となり、波動エネルギーの多様性を正面から捕らえた研究ではなく、又、転写、記憶も木材に限られた方法である。
【発明の開示】
【発明が解決しようとする課題】
【０００４】
本発明は、遠赤外線等の微弱エネルギーの特性・作用を有し、地球環境保護、人体の健康増進に寄与する遠赤外線放射波動水の製造方法及び遠赤外線放射波動水を提供することを目的とするものである。
【課題を解決するための手段】
【０００５】
本発明の遠赤外線放射波動水の製造方法は、ミネラル含有液に光触媒の存在のもとに紫外線を照射して得られた転写可能な水溶液を特徴とする。
【０００６】
（原料液）
まずミネラル含有液を用意する。
【０００７】
ミネラル含有液としては、風化珊瑚礁抽出液を用いることが好ましい。なお、風化珊瑚礁の代わりに、トルマリン、麦飯石などを用いても良い。ミネラルとして、Ｎａ，Ｃａ，Ｋ，Ｆｅ，Ｓｉ，Ｚｎの一種以上を含有することが好ましい、特に、遠赤外線放射率を高めるという意味でＳｉを含有するものが好ましい。例えば、水にミネラル元素を含有せしめたものが用いられる。
抽出液は、風化珊瑚礁を積層したカラム内に水を通過させ濾過することによりミネラル含有液が得られる。なお、抽出過程における液の滴下の速度を遅くし、より効果的に抽出液を得るためには、カラム下部には１ｍｍ以下の粉末状、カラム中部には１〜２ｍｍ以下の微細粒状、カラム上部には２〜４ｍｍの粉砕状の風化珊瑚礁を充鎮せしめて行うことが好ましい。
【０００８】
カラムに送入する水としては、水道水、純水、超純水、電解水、ミネラルウォーターその他の水を用いることができる。特にミネラルウォーターが好ましい。また、水に超音波を照射することによってクラスター化したものを用いても良い。この場合、純水、超純水に超音波を照射するとよりクラスター化が進むため好ましい。
【０００９】
抽出水に、抽出水に対し酸化チタン０．０１〜１．２０％（重量％）、珪素粉末０．０１〜０．７％（重量％）を混入し原料液とする。なお、好ましくは、酸化チタン０．５〜１．０％（重量％）、珪素粉末０．１〜０．５％（重量％）を混入する。
【００１０】
本発明では、低周波の波長をかけながら上記原料液の攪拌を行う。周波数は１００〜２００Ｈｚとし、好ましくは１５０〜１８０Ｈｚとする。攪拌については、３０００〜２００００ｒｐｍで２〜１０時間とし、好ましくは５〜８時間とする。
【００１１】
なお、低周波をかけながら攪拌することによって、活性化された状態の安定化を図ることなどができる。
【００１２】
更に上記と平行して光触媒の存在のもとに紫外線を照射する。
【００１３】
（光触媒溶液）
光触媒としては、酸化チタンが好ましい。酸化チタンはアナターゼ型の酸化チタン、すなわちペルオキソ酸と過酸化水素でペルオキソ修飾したアナターゼ微粉を含む液（ＴＰＸゾル）を用いることが望ましい。なお、ＴＰＸゾルとは酸化チタン０．８５ｗ％を含有する、ペルオキソチタン酸と二酸化チタンの混合水溶液である。かかる光触媒の存在のもとで４００ｎｍ以下の紫外線を照射すると水分子間を結合している酸素・水素の結合が切断され、水素結合を失ったＨ−Ｏ−Ｈが発生する。
【００１４】
（紫外線照射）
４００ｎｍ以下の紫外線を照射する。照射時間としては、０．５〜８時間、好ましくは５〜７時間とする。なお、２８０ｎｍ以下の紫外線を照射すれば、原料液を殺菌することもできる。
【００１５】
また、紫外線照射に続き赤外線０．７７〜５００μｍ、好ましくは６〜１４μｍを１０〜１２０分照射することが好ましい。
【００１６】
遠赤外線、特に６〜１４μｍの遠赤外線を受けると、共鳴振動をおこし、原料液の分子運動が活性化される。
【００１７】
上記工程により本発明の遠赤外線放射波動水が得られる。なお、実際に使用する際には遠赤外線放射波動水を転写水で希釈した二次機能水を用いることが好ましい。
【００１８】
（二次機能水）
まず、転写媒体となる材料（セラミックス全般等）に遠赤外線放射波動水と酸化チタンとを混練し適宜成型する。これを７００〜１４００℃で焼成する。水に転写部材を浸漬させ適宜時間放置する。適宜時間放置することにより、水には一次機能水の機能を転写される。なお、転写部材は、例えばセラミックス全般（陶磁器、セメント、ガラス、人工的原料、高純度原料等）や金属製などが用いられる。同じように転写容器を作製し、容器内に水を注入する方法で転写させても良い。
【００１９】
転写部材を製造するに際して二次機能水として希釈した遠赤外線放射波動水を用いても良い。希釈率としては、２〜３００００倍が好ましく、１０〜１００００倍がより好ましい。
【００２０】
上記転写部材に混入する一次機能水と酸化チタンの量については、転写部材体積の０．０１〜３０％（重量％）混入すればよい。配合比率については、遠赤外線放射波動水と酸化チタンを各１０〜９０％（体積％）対比で配合、適宜混入すればよい。好ましくは一次機能水３０〜７０％（体積％）、酸化チタン７０〜３０％（体積％）、より好ましくは遠赤外線放射波動水５０％（体積％）、酸化チタン５０％（体積％）が好ましい。なお、転写部材における遠赤外線放射波動水と酸化チタン配合比率、混入率でエネルギーの強弱が変わってくる。従って、転写に要する時間も変わってくる。
【００２１】
このように、酸化チタンを転写部材の原料に含有せしめておくことにより極めて有効に転写が行われる。
【００２２】
なお、上記転写部材に珪素粉末を混入すると遠赤外線放射率を高めるという観点からより一層好ましい。混入率は転写部材体積に対して０．０１〜５％（重量％）が好ましい。珪素粉末については高純度で粒度の小さいものが好ましい。
【００２３】
また、転写部材は水質改善、大気浄化、忌避、などの効果があり、適宜混練成型し、焼成等により様々な用途で使用することができる。
【００２４】
被転写体となる転写用の水としては、例えば水道水、純水、超純水、電解水、本発明でいう一次機能水、二次機能水、ミネラルウォーターその他の水を用いることができる。特に、ミネラルウォーターが好ましい。
【００２５】
転写期間は、転写部材に含まれる遠赤外線放射波動水と酸化チタンの配合比率、混入率などで適宜決める。例えば、水１００００ｍｌに対し、上記転写部材直径３〜４ｃｍ程度のものを１個浸漬する場合７〜９０日間放置する。
【００２６】
転写水に、遠赤外線放射波動水を転写水に対し０．０００１以上（重量％）混入し二次機能水を製造する。混入に際しては、２５００〜３５００ｒｐｍで３０〜１２０分間の攪拌を行い混合させることが好ましい。
【００２７】
転写水に遠赤外線放射波動水を混入することにより、二次機能水の有する遠赤外線効果などがより強くなる。また、それらの効果の持続力が長くなる。なお、二次機能水の製造方法として代用の方法も用いられる。
【００２８】
（方法２）
水道水等に、遠赤外線放射波動水を該水に対し０．０００１以上（重量％）混入する。低周波の振動をかける。周波数は１００〜２００Ｈｚとし、好ましくは１５０〜１８０Ｈｚとする。攪拌については３０００〜１２０００ｒｐｍで２〜６時間とする。
【００２９】
上記作業と平行して、４００ｎｍ以下の紫外線を２〜５時間照射する。
【００３０】
次いで赤外線０．７７〜５００μｍ、好ましくは６〜１４μｍを１０〜６０分照射することが好ましい。
【００３１】
例えば、遠赤外線放射波動水及び遠赤外線放射波動水を転写水に対し０．０００１以上（重量％）混入した二次機能水に、繊維、鉱物その他を２〜１４日間浸漬させた後、乾燥させることで固体にも遠赤外線等の微弱エネルギーを転写することができる。
【００３２】
転写する際に、対象物を原料水に浸漬させる方法に加え、製造途中の段階において混練加工する方法も可能であり、効果は同じように発揮される。転写対象としては、鉱物、繊維、装身具などを始めとするあらゆるものに転写可能である。なお、人体に使用する際には、肌に直接触れるものが、より一層効果が発揮される。
【００３３】
また、遠赤外線放射波動水を、転写水に対し０．０００１〜１．５％（重量％）混入した二次機能水を製造することで、化粧水、アトピー性皮膚炎、筋肉疲労剤、抗菌消臭剤などとして多目的にかつそれぞれに十分な効果効果がえられる二次機能水が製造できる。１．５％（重量％）以下とすることにより皮膚用外用剤としても好適に用いることができる。
【００３４】
また、上記二次機能水と同じように遠赤外線放射波動水を、転写水に対し０．０００１〜１．５％（重量％）混入した二次機能水を製造することで、動植物育成剤として、植物にかけて用いることができる。もしくは、植物が植えられた土壌にしみ込ませても良い。また、動物に飲用せしめても良い。
【００３５】
（三次機能水）
さらに、二次機能水と他の媒体を混合させることにより、他の媒体が持つ特性・作用等を高めることのできる三次機能水が製造できる。
【００３６】
例えば、二次機能水と光触媒溶液（好ましくは酸化チタン水溶液）を配合することで、４００ｎｍ以下の光エネルギーを必要としなくても触媒作用を有する三次機能水を製造することができる。配合比率については二次機能水と酸化チタンを各１０％〜９０％（体積％）対比で配合すればよい。なお、好ましくは各３０％〜７０％（体積％）対比で配合するのがよい。適宜攪拌することで三次機能水を製造することができる。
【００３７】
上記三次機能水を、例えば建材コーティング材として使用することができる。紫外線遮断、腐食、劣化防止、消臭、有機物分解等などの作用を持つ。
【００３８】
また、その他の使用方法として、車などの外部機構に塗布するだけで排気ガス中の有害成分の低減作用、燃費、パワー、トルク向上作用を発揮する。
【００３９】
塗布方法は特に問わないが、例えば三次機能水を噴霧塗布すればよい。また、塗布部は燃焼タンク、燃焼室、概燃料タンクから該燃焼室へ燃料を送る手段、及び燃焼室で発生した排ガスを外部へ排気する為の排気部のいずれか一箇所以上に塗布する。
【００４０】
その内面・外面どちらでも良い。塗布の簡易性という点からは外面が好ましい。
【００４１】
塗布対象となる各機構の部品材質は、限定されない。金属（例えば、エンジンなどの燃焼室、排気部のマフラーの構成材料）、セラミック（例えば、排気部のライン途上に配置されるフィルターなどの構成材料）、有機材料（燃料を送る手段あるいは排気部の排気パイプ、チューブなどの構成材料）であってよい。また、構成部品の全面に限ることなく一部に塗布してもよい。
【００４２】
燃焼機構は、自動車、家庭用暖房機その他の燃焼機構が対象となる。特に、ガソリン、灯油などの液体燃料を用いる燃焼機構の場合より効果が顕著となる。
【発明の効果】
【００４３】
水はＨ２Ｏ分子が水素結合してクラスターと呼ばれる連鎖体を結成している。水のクラスターの活性化を促進させる方法として、抽出水の攪拌と紫外線の照射によって、様々な異種分子に振動を与え励起状態にする。
【００４４】
水素結合の切断は、水素原子の陽電荷と酸素原子の電子対の相互作用として行われるという点で、電荷移動あるいは広義の酸化還元と呼ばれる化学反応として包括されるものであるから、酸化還元に関与する触媒が有効とされる。
【００４５】
現在、水溶液の形で溶存している物質の酸化還元反応の触媒としては酸化チタンが知られており、ことにアナターゼ型の酸化チタンは紫外線照射により、溶存物質または、共存物質を還元する能力がある。また、コンデンサー的な要素もあり、エントロピーのバランスの中で、マイナスイオンの放出・保持を繰り返す。
【００４６】
水の水素結合の強さは８〜３０ｍｏｌに対しても、この酸化チタン（励起エネルギーは３ｅＶ）の光触媒作用が水素原子と酸素原子の相互間での電子の移動を生じさせ水素結合本来の電子状態が解消され、そのエネルギーが励起された状態になると思われる。また、原料液が活性化しており還元作用（蘇生作用）、イオン作用も活発になっている。
【００４７】
全ての物質は、原子で構成されている。原子は原子核を構成する陽子と原子核の周りを回るマイナスの電子で構成されている。そして電子は、原子の種類や回転数などで固有な振動（エネルギーパターン）を持っている。この振動を微弱エネルギーと言い、エネルギーパターンを波動と呼ぶ。
【００４８】
水は外部からの微弱エネルギーの影響でその情報を固定し、その微弱エネルギーを他の物質に転写する特質が知られている。その性質を利用し、一次機能水を混練焼成した転写部材から、遠赤外線を始めとする微弱エネルギーが液体に転写されると考えられる。また、一次機能水及び二次機能水に対象物を浸漬させることにより同じように固体に転写されると考えられる。
【００４９】
地球上で最も多く存在する成分は珪素であり、固形無機物、有機物の多くもＳｉ０２に準ずる密度を持っていて、石英に類似の遠赤外線放射材質によるものが多く、さらに遷移元素酸化物が含まれていると放射率の高い特性を示す。
【００５０】
風化珊瑚礁は、天然資源としては他に類を見ない微量ミネラル４０数種類を含んでいる。麦飯石に近い組成を持ち、遠赤外線放射、マイナスイオン放出作用がある。
【００５１】
遠赤外線放射波動水及び二次機能水からは、常温においても遠赤外線が放射される（遠赤外線効果）。また、イオンが放出される（イオン放出効果）。さらに量子効果その他の特性・作用を有している。
【００５２】
遠赤外線のエネルギーは人体に対しＡＴＰの生成を含む生理活性作用、成長促進作用を促進。その他、水質浄化作用や動植物の細胞の活性化、タンパク合成に重要な役割を果たす。また、鮮度保持、抗菌、消臭、熟成促進作用等がある。
【００５３】
また、物質に取り込まれた遠赤外線のエネルギーは、活性化するエネルギーに変化し、イオンのバランスを調整する。
【００５４】
マイナスイオンには、人体に対して血液浄化、細胞の活性化、免疫力の増強、自律神経の調整作用がある。その他、抗菌、消臭、抗酸化、育成等の作用を持つ。
【００５５】
微量栄養素は、微量要素の不足による栄養バランスの崩れを改善することで健康体へと導く。また、植物に対しては、土壌の栄養バランスの崩れからくる様々な生理障害や病害、連鎖障害等の弊害を正常に戻すと同時に、有用微生物の増殖を促進する。
【００５６】
二次機能水（１２ヶ月前に製造した該水を室内に放置）の１７０−ＭＮＲ測定をしたところ半値幅５７Ｈｚであった。一般の水道水は１５０〜１５５Ｈｚであり、あきらかにクラスターが細分化された状態、つまり水分子の電子エネルギーが高く、活性化された状態を保持することができているといえる。
【００５７】
クラスターの細分化された、いわゆる活性化された水は細胞組織への浸透力が強く、体内での栄養、酸素などの運搬あるいは尿などの排泄がスムーズに行われる。
【００５８】
植物に与えることで、細胞の活性化及び養分と水分の吸収率を増大させ、植物の成長促進を高める。また、土壌中の水分子が活性化、病原菌の増殖を抑制すると同時に有用微生物の増殖を促進することで土壌を活性化させる。
【００５９】
イオンの交換が活発化するため、チトクロムＣの合成を増加させることや、鉄を含む酵素が成長促進を可能にする代謝要因となる。
【００６０】
一次機能水及び二次機能水の微弱エネルギー及びその他の特性・作用を利用し、酸化チタンが紫外線照射の少ない状況での触媒効果を促進させることができると考えられる。
【００６１】
軽油・ガソリンなどの燃料は電気や圧力などを加え化学合成されたＣとＨの結合体、炭化水素化合物であり、これらは電気的な磁場によってそれぞれが引き合いある程度の塊（クラスター）となって存在している。その為粘度指数が高くなり空気との混合がしにくい状態となっているので、外部からイオン化を促進することで磁場が乱れクラスターを細分化させる。その結果、ガソリンなどの燃料の液体は非常に細かい分子構造となり、粘度指数は低下し酸素と結合しやすい状態へ導くことができる。
【００６２】
イオン化された空気は、各シリンダーにむらなく広がることで圧縮時の燃焼とのミキシング効率が向上し燃焼しやすい状態をつくる。これは燃焼する際に必要な酸素熱量のロスを大幅に減少させる、つまり失われていたエネルギーを運動エネルギーに有効活用することができる。
【００６３】
排気については、排気管内の電位が低くなる為、排気ガス（排気熱）を効率よく流すことが出来る。これにより、排圧のエンジンに対する影響が著しく減少し、エンジンの負担を軽くする事が出来る。またイオン化された各酸化物は、排気気管内を衝撃波の影響を受けることなくスムーズに通過し、流速が速まって排気効率が向上する。
【００６４】
成分分析表は、第１表の通りであり、多くの遷移元素を含んでいる。
【００６５】
【表１】
2008161864.tif 000003
【発明を実施するための最良の形態】
【００６６】
以下に本発明の実施例を示す。
【実施例１】
【００６７】
（遠赤外線放射波動水）
風化珊瑚礁を積層したカラム内に水道水を通過させ、抽出液を得た。この抽出液に対し、酸化チタン０．３％、珪素粉末０．５％を混入した溶液を本体タンク１に装入。低周波コイル１１で周波数１７０Ｈｚをかけながらバランスプロペラ３（１１，４８０ｒｐｍ／ｍｉｎ）で該水を８時間攪拌した。
【００６８】
上記作業と平行して、石英ガラス２を通し、紫外線ランプ２８０ｎｍを７．５時間照射し、次いで赤外線ランプ（１０μｍ）を０．５時間照射して遠赤外線放射波動水を得た。
【実施例２】
【００６９】
（二次機能水）
実施例１による製法で遠赤外線放射波動水を製造する。
【００７０】
珪藻土３ｋｇに上記遠赤外線放射波動水１２５ｍｌと酸化チタン１２５ｍｌとを混練した。直径４ｃｍの球状に形成し１２００℃で焼成することで転写部材を作製し貯蔵タンクに配置した。
【００７１】
貯蔵タンクに水道水５０ｔを装入、水道水に上記転写部材を３０日間浸漬することで転写水を得た。
【００７２】
転写水に、遠赤外線放射波動水を転写水に対して３％（重量％）を混入し、混合することで二次機能水を得た。
【実施例３】
【００７３】
（二次機能水）
実施例１による製法で遠赤外線放射波動水を製造した。
【００７４】
本体タンク１に、水道水および該水に対し遠赤外線射波動水３％を混入。低周波コイル１１で周波数１７０Ｈｚをかけながら３０００ｒｐｍで２時間の攪拌を行った。平行して紫外線ランプ２８０ｎｍを２時間照射し、次いで赤外線ランプ（１０μｍ）を０．５時間照射して二次機能水を得た。
【００７５】
上記二次機能水に水晶ネックレスを３日間浸漬した後乾燥させた。
【００７６】
液体に転写部材を浸漬させる、対象物を一次機能水、二次機能水に浸漬させることで、遠赤外線等の微弱エネルギーを転写することができる。且つ、転写された効力は半永久的であり、着用、洗濯などを重ねても転写された効力は失われない。
【００７７】
１００名のモニターによる転写したネックレス及びブレスレット装着する実験の結果、次のような症状の改善さが報告された。
・肩凝り、腰痛、関節痛
・リュウマチ
・手の痺れ
・冷え性
・偏頭痛
・花粉症
・良好な血圧の一定化
転写された繊維製品を使用した場合、アトピー性皮膚炎、化学物質過敏症などの、繊維による皮膚障害が緩和される。
【実施例４】
【００７８】
（二次機能水）
実施例１による製法で遠赤外線放射波動水を製造した。
【００７９】
実施例２及び実施例３による方法で二次機能水を製造した。なお、転写水及び水道水に対し、遠赤外線放射波動水を０．１％（重量％）混入した。
【００８０】
健常な成年男子（５０歳）を対象とし、上記二次機能水を両腕に噴霧し、未噴霧状態と比較したところ、以下の効果が見られた。
・血流速度 １．１４４倍（１４．５％の増加）
・血流量 １．０６９倍（６．９％の増加）
・脳波測定 リラックス状態を示すα波（８Ｈｚ以上１３Ｈｚ以下）は明らかに未噴霧状態に比べて優位であり、最初から最終段階まで均一に、かつ多量に具現している。このことは二次機能水噴霧直後から２０分間に渡りリラックス状態を継続しているといえる。
【００８１】
１００名のモニターに二次機能水を人体の適宜箇所に噴霧する実験を行ったところ、次のような症状の改善が報告された。
・シミ・シワ
・アトピー性皮膚炎
・白癬
・口臭・腋臭
・火傷の炎症
・筋肉疲労
・歯痛
・発毛・育毛
・止血
・関節痛
上記二次機能水を植物に与える実験の結果、以下の効果が得られた。
・生育が早く根ばりが旺盛になった。
・着果量の増加と着果率のアップ（増収率３０％アップ）
・全体の身長６０％アップ、重量２５〜３０％アップ。
・タンパク質、窒素、糖分の増加。
・色が鮮明に仕上がる。
・忌避効果
【実施例５】
【００８２】
（三次機能水）
実施例１による製法で遠赤外線放射波動水を製造した。
【００８３】
実施例２及び実施例３による製法で二次機能水を製造した。なお、転写水及び水道水に対し、遠赤外線放射波動水を３％（重量％）混入した。
【００８４】
上記二次機能水３０％（体積％）と酸化チタン７０％（体積％）を配合して三次機能水を得た。
【００８５】
二次機能水と酸化チタンを配合することで、波長が４００ｎｍ以下の光エネルギーでも、抗菌、防汚、防カビ、防臭などの光触媒作用を発揮し、人体及び環境に一切無害であるので、農業、水産、食品、工業、医療、環境など様々な分野に活用できる。
【００８６】
三次機能水を木材に塗布し、放置した。また、三次機能水を塗布していない木材も同じ時間放置した。三次機能水を塗布していない木材は変色をきたしたが、三次機能水を塗布した木材は変色をきたしていなかった。
【００８７】
また、密閉容器内にホルムアルデヒトと木材を入れて放置しておいたところ、三次機能水を塗布していない木材を入れた容器ではホルムアルデヒトの量は放置前後で変化していなかったが、三次機能水を塗布した木材を入れた容器ではホルムアルデヒトの量が減少していた。
【００８８】
三次機能水を塗布した容器内に、使用済みのトナーを放置したところ、静電気が要因で付着していた汚れが取れた。なお、上記作業をしていないトナーは、ほとんど汚れがとれなかった。
【００８９】
三次機能水を、３０台の乗用車の外部機構（燃料タンク、燃料室、該燃料タンクから概燃焼室へ燃料を送る手段、及び概燃焼室で発生した排ガスを外部へ排気する為の排気部）の２、３箇所に塗布したところ以下の結果が得られた。
・ＣＯ低減率５１．７％
・ＨＣ低減率６３．５％
・燃費向上率２６．２％
・パワー、トルクアップ
【産業上の利用可能性】
【００９０】
遠赤外線等の微弱エネルギーの特性・作用を有し、それらを保持することができる。且つ高温で焼成するなどしてもその作用は損なわれず、また人体及び環境に一切無害であるので、農業、水産、食品、工業、医療、環境など様々な分野に多種多様な形で活用できる。
【００９１】
遠赤外線とイオンの相互作用により人体に対しては、細胞を活性化し、新陳代謝を活発化するので自然治癒力を高めることができる。その他、植物育成、鮮度保持、抗菌、大気浄化、水質浄化、界面活性等の作用を有する。
【図面の簡単な説明】
【００９２】
【図１】本発明に係る一次機能水製造装置の縦断面図である。
【符号の説明】
【００９３】
１ タンク、
２ 石英ガラス、
３ 攪拌プロペラ、
４ 本体留金具、
５ 本体置架台、
６ 排水口、
７ 心棒（シャフト）、
８ プーリー、
９ Ｖベルト、
１０ モーター、
１１ 低周波コイル、
１２ 紫外線ランプ・赤外線ランプ、
１３ ランプ取付架台
【図１】
2008161864.tif 000004